(57)【要約】【課題】画像の出力指示内の出力設定よりも媒体の種類毎に関連付けされた出力設定が優先されて、その媒体における出力を行うように制御できるようにした画像処理装置を提供する。【解決手段】画像処理装置の関連付手段は、画像を出力する媒体の種類と該種類の媒体に画像を出力する場合の設定である出力設定を関連付け、受信手段は、画像の出力指示を受信し、制御手段は、前記受信手段によって受信された出力指示内の媒体の種類が前記関連付手段によって関連付けされた媒体の種類と同等である場合は、該出力指示における出力設定よりも前記関連付手段によって該媒体に関連付けられた出力設定を優先させて該媒体の出力を行うように制御する。【選択図】図１
2013172233.tif 000002
【特許請求の範囲】
【請求項１】
画像を出力する媒体の種類と該種類の媒体に画像を出力する場合の設定である出力設定を関連付ける関連付手段と、
画像の出力指示を受信する受信手段と、
前記受信手段によって受信された出力指示内の媒体の種類が前記関連付手段によって関連付けされた媒体の種類と同等である場合は、該出力指示における出力設定よりも前記関連付手段によって該媒体に関連付けられた出力設定を優先させて該媒体の出力を行うように制御する制御手段
を具備することを特徴とする画像処理装置。
【請求項２】
前記関連付手段による関連付けが有効であるか否かを設定する設定手段
をさらに具備し、
前記制御手段は、前記設定手段によって有効であると設定された関連付けの媒体の種類と前記受信手段によって受信された出力指示内の媒体の種類が同等である場合は、該出力指示における出力設定よりも前記関連付手段によって該媒体に関連付けられた出力設定を優先させて該媒体の出力を行うように制御する
ことを特徴とする請求項１に記載の画像処理装置。
【請求項３】
前記関連付手段による関連付けの優先順位を設定する優先順位設定手段
をさらに具備し、
前記制御手段は、同等の媒体の種類における前記関連付手段による関連付けが複数ある場合は、前記優先順位設定手段によって設定された優先順位に基づいて、出力指示における出力設定よりも前記関連付手段によって該媒体に関連付けられた出力設定を優先させて該媒体の出力を行うように制御する
ことを特徴とする請求項１又は２に記載の画像処理装置。
【請求項４】
画像を出力する媒体を格納する媒体格納部の種類と該種類の媒体格納部に格納されている媒体に画像を出力する場合の設定である出力設定を関連付ける関連付手段と、
画像の出力指示を受信する受信手段と、
前記受信手段によって受信された出力指示内の媒体の種類が前記関連付手段によって関連付けされた媒体格納部に格納された媒体の種類と同等である場合は、該出力指示における出力設定よりも前記関連付手段によって該媒体格納部に関連付けられた出力設定を優先させて該媒体の出力を行うように制御する制御手段
を具備することを特徴とする画像処理装置。
【請求項５】
前記関連付手段による関連付けが有効であるか否かを設定する設定手段
をさらに具備し、
前記制御手段は、前記設定手段によって有効であると設定された関連付けの媒体格納部に格納された媒体の種類と前記受信手段によって受信された出力指示内の媒体の種類が同等である場合は、該出力指示における出力設定よりも前記関連付手段によって該媒体格納部に関連付けられた出力設定を優先させて該媒体の出力を行うように制御する
ことを特徴とする請求項４に記載の画像処理装置。
【請求項６】
前記関連付手段による関連付けの優先順位を設定する優先順位設定手段
をさらに具備し、
前記制御手段は、同等の種類の媒体格納部における前記関連付手段による関連付けが複数ある場合は、前記優先順位設定手段によって設定された優先順位に基づいて、出力指示における出力設定よりも前記関連付手段によって該媒体格納部に関連付けられた出力設定を優先させて該媒体の出力を行うように制御する
ことを特徴とする請求項４又は５に記載の画像処理装置。
【請求項７】
画像出力装置を、
画像を出力する媒体の種類と該種類の媒体に画像を出力する場合の設定である出力設定を関連付ける関連付手段と、
画像の出力指示を受信する受信手段と、
前記受信手段によって受信された出力指示内の媒体の種類が前記関連付手段によって関連付けされた媒体の種類と同等である場合は、該出力指示における出力設定よりも前記関連付手段によって該媒体に関連付けられた出力設定を優先させて該媒体の出力を行うように制御する制御手段
として機能させるための画像処理プログラム。
【請求項８】
画像出力装置を、
画像を出力する媒体を格納する媒体格納部の種類と該種類の媒体格納部に格納されている媒体に画像を出力する場合の設定である出力設定を関連付ける関連付手段と、
画像の出力指示を受信する受信手段と、
前記受信手段によって受信された出力指示内の媒体の種類が前記関連付手段によって関連付けされた媒体格納部に格納された媒体の種類と同等である場合は、該出力指示における出力設定よりも前記関連付手段によって該媒体格納部に関連付けられた出力設定を優先させて該媒体の出力を行うように制御する制御手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、折り処理が実行される大半の場合は同時に実行される原稿混載処理のユーザによる設定の手間を省き操作性を格段に向上させるとともに、ユーザによる折りモード設定時の原稿混載モード設定漏れによる意図しないコピージョブの実行を未然に防止することを課題とし、操作部からの指示でＣＰＵにより設定される折り装置の折りモード設定状態に基づいて、フィーダにより給送される一連の原稿束の中に異なるサイズの原稿が混在している場合に各原稿サイズに応じた転写材を順次給紙して順次給紙される転写材に対して各原稿画像に基づく画像形成を順次行う原稿混載モードの設定状態をＣＰＵが制御する構成を特徴とすることが開示されている。
【先行技術文献】
【特許文献】
【０００３】
【特許文献１】特開平１１−２７２１２７号公報
【発明の概要】
【発明が解決しようとする課題】
【０００４】
本発明は、画像の出力指示内の出力設定よりも媒体の種類毎に関連付けされた出力設定が優先されて、その媒体における出力を行うように制御できるようにした画像処理装置及び画像処理プログラムを提供することを目的としている。
【課題を解決するための手段】
【０００５】
かかる目的を達成するための本発明の要旨とするところは、次の各項の発明に存する。
請求項１の発明は、画像を出力する媒体の種類と該種類の媒体に画像を出力する場合の設定である出力設定を関連付ける関連付手段と、画像の出力指示を受信する受信手段と、前記受信手段によって受信された出力指示内の媒体の種類が前記関連付手段によって関連付けされた媒体の種類と同等である場合は、該出力指示における出力設定よりも前記関連付手段によって該媒体に関連付けられた出力設定を優先させて該媒体の出力を行うように制御する制御手段を具備することを特徴とする画像処理装置である。
【０００６】
請求項２の発明は、前記関連付手段による関連付けが有効であるか否かを設定する設定手段をさらに具備し、前記制御手段は、前記設定手段によって有効であると設定された関連付けの媒体の種類と前記受信手段によって受信された出力指示内の媒体の種類が同等である場合は、該出力指示における出力設定よりも前記関連付手段によって該媒体に関連付けられた出力設定を優先させて該媒体の出力を行うように制御することを特徴とする請求項１に記載の画像処理装置である。
【０００７】
請求項３の発明は、前記関連付手段による関連付けの優先順位を設定する優先順位設定手段をさらに具備し、前記制御手段は、同等の媒体の種類における前記関連付手段による関連付けが複数ある場合は、前記優先順位設定手段によって設定された優先順位に基づいて、出力指示における出力設定よりも前記関連付手段によって該媒体に関連付けられた出力設定を優先させて該媒体の出力を行うように制御することを特徴とする請求項１又は２に記載の画像処理装置である。
【０００８】
請求項４の発明は、画像を出力する媒体を格納する媒体格納部の種類と該種類の媒体格納部に格納されている媒体に画像を出力する場合の設定である出力設定を関連付ける関連付手段と、画像の出力指示を受信する受信手段と、前記受信手段によって受信された出力指示内の媒体の種類が前記関連付手段によって関連付けされた媒体格納部に格納された媒体の種類と同等である場合は、該出力指示における出力設定よりも前記関連付手段によって該媒体格納部に関連付けられた出力設定を優先させて該媒体の出力を行うように制御する制御手段を具備することを特徴とする画像処理装置である。
【０００９】
請求項５の発明は、前記関連付手段による関連付けが有効であるか否かを設定する設定手段をさらに具備し、前記制御手段は、前記設定手段によって有効であると設定された関連付けの媒体格納部に格納された媒体の種類と前記受信手段によって受信された出力指示内の媒体の種類が同等である場合は、該出力指示における出力設定よりも前記関連付手段によって該媒体格納部に関連付けられた出力設定を優先させて該媒体の出力を行うように制御することを特徴とする請求項４に記載の画像処理装置である。
【００１０】
請求項６の発明は、前記関連付手段による関連付けの優先順位を設定する優先順位設定手段をさらに具備し、前記制御手段は、同等の種類の媒体格納部における前記関連付手段による関連付けが複数ある場合は、前記優先順位設定手段によって設定された優先順位に基づいて、出力指示における出力設定よりも前記関連付手段によって該媒体格納部に関連付けられた出力設定を優先させて該媒体の出力を行うように制御することを特徴とする請求項４又は５に記載の画像処理装置である。
【００１１】
請求項７の発明は、画像出力装置を、画像を出力する媒体の種類と該種類の媒体に画像を出力する場合の設定である出力設定を関連付ける関連付手段と、画像の出力指示を受信する受信手段と、前記受信手段によって受信された出力指示内の媒体の種類が前記関連付手段によって関連付けされた媒体の種類と同等である場合は、該出力指示における出力設定よりも前記関連付手段によって該媒体に関連付けられた出力設定を優先させて該媒体の出力を行うように制御する制御手段として機能させるための画像処理プログラムである。
【００１２】
請求項８の発明は、画像出力装置を、画像を出力する媒体を格納する媒体格納部の種類と該種類の媒体格納部に格納されている媒体に画像を出力する場合の設定である出力設定を関連付ける関連付手段と、画像の出力指示を受信する受信手段と、前記受信手段によって受信された出力指示内の媒体の種類が前記関連付手段によって関連付けされた媒体格納部に格納された媒体の種類と同等である場合は、該出力指示における出力設定よりも前記関連付手段によって該媒体格納部に関連付けられた出力設定を優先させて該媒体の出力を行うように制御する制御手段として機能させるための画像処理プログラムである。
【発明の効果】
【００１３】
請求項１の画像処理装置によれば、画像の出力指示内の出力設定よりも媒体の種類毎に関連付けされた出力設定が優先されて、その媒体における出力を行うように制御できる。
【００１４】
請求項２の画像処理装置によれば、関連付けが有効であるか否かを設定でき、有効である関連付けにしたがって出力を制御することができる。
【００１５】
請求項３の画像処理装置によれば、関連付けの優先順位を設定でき、その優先順位に基づいて出力を制御することができる。
【００１６】
請求項４の画像処理装置によれば、画像の出力指示内の出力設定よりも媒体格納部の種類毎に関連付けされた出力設定が優先されて、その媒体格納部に格納された媒体における出力を行うように制御できる。
【００１７】
請求項５の画像処理装置によれば、関連付けが有効であるか否かを設定でき、有効である関連付けにしたがって出力を制御することができる。
【００１８】
請求項６の画像処理装置によれば、関連付けの優先順位を設定でき、その優先順位に基づいて出力を制御することができる。
【００１９】
請求項７の画像処理プログラムによれば、画像の出力指示内の出力設定よりも媒体の種類毎に関連付けされた出力設定が優先されて、その媒体における出力を行うように制御できる。
【００２０】
請求項８の画像処理プログラムによれば、画像の出力指示内の出力設定よりも媒体格納部の種類毎に関連付けされた出力設定が優先されて、その媒体格納部に格納された媒体における出力を行うように制御できる。
【図面の簡単な説明】
【００２１】
【図１】本実施の形態の構成例についての概念的なモジュール構成図である。
【図２】設定画面の例を示す説明図である。
【図３】出力例を示す説明図である。
【図４】設定画面の例を示す説明図である。
【図５】出力例を示す説明図である。
【図６】設定画面の例を示す説明図である。
【図７】出力例を示す説明図である。
【図８】設定画面の例を示す説明図である。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態による処理例を示すフローチャートである。
【図１３】用紙種類・出力設定対応テーブルのデータ構造例を示す説明図である。
【図１４】用紙種類・出力設定・有効／無効テーブルのデータ構造例を示す説明図である。
【図１５】ルール・優先順位テーブルのデータ構造例を示す説明図である。
【図１６】用紙種類・出力設定・優先順位テーブルのデータ構造例を示す説明図である。
【図１７】本実施の形態を実現するコンピュータのハードウェア構成例を示すブロック図である。
【発明を実施するための形態】
【００２２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２３】
本実施の形態である画像処理装置は、画像を出力するものであって、図１の例に示すように、給紙別排紙設定指示モジュール１１０、給紙別排紙設定参照モジュール１１５、関連付有効／無効指示モジュール１２０、関連付有効／無効参照モジュール１２５、給紙優先順位指示モジュール１３０、給紙優先順位参照モジュール１３５、印刷指示受信モジュール１４０、ＰＤＬ等解釈モジュール１４５、画像生成モジュール１５０、色変換処理モジュール１５５、出力制御モジュール１６０、画像出力装置１６５、フィニッシャ装置１７０を有している。これらは、それぞれ接続されている。
この画像処理装置は、通信回線（無線、有線を問わない）を介して、ＰＣ等の情報処理装置と接続されている。そして、その情報処理装置からの出力指示を受け取って、画像を出力する。具体的には、この画像処理装置として、プリンタ、複合機（プリンタの機能を少なくとも有し、スキャナ、複写機、ファックス等のいずれか１つ以上の機能を有している画像処理装置）、複写機、ファックス等が該当する。
【００２４】
この画像処理装置は、画像を出力する媒体（以下、用紙ともいう）の種類毎に異なる出力を行う場合に対応するものである。媒体の種類として、媒体のサイズ（いわゆる用紙サイズ）、媒体の質（普通紙、厚紙等）、媒体の色のいずれか一つ、又はこれらの組み合わせである。媒体の種類に応じて出力設定（カラー／白黒出力、両面／片面出力、紙折りする／しない等、以下、排紙設定ともいう）を切り替えることで、媒体の種類別に異なる出力結果を得ることになる。
また、この画像処理装置は、画像を出力する媒体を格納する媒体格納部毎に異なる出力を行う場合に対応するものである。媒体格納部の種類として、格納している媒体のサイズがあり、また、媒体格納部に格納する媒体の種類毎に媒体格納部を設定している場合は、媒体格納部の種類として、媒体の質、媒体の色が加わる。したがって、その場合、媒体格納部の種類として、媒体のサイズ、媒体の質、媒体の色のいずれか一つ、又はこれらの組み合わせである。媒体格納部の種類に応じて出力設定（カラー／白黒出力、両面／片面出力、紙折りする／しない等）を切り替えることで、媒体格納部の種類別に異なる出力結果を得ることになる。
【００２５】
給紙別排紙設定指示モジュール１１０は、画像を出力する媒体の種類とその種類の媒体に画像を出力する場合の設定である出力設定を関連付ける。
また、給紙別排紙設定指示モジュール１１０は、画像を出力する媒体を格納する媒体格納部の種類と該種類の媒体格納部に格納されている媒体に画像を出力する場合の設定である出力設定を関連付ける。ここで媒体格納部とは、画像を出力する媒体を格納しているものであり、給紙手段（一般的に、トレイともいわれるものを含む）のことをいう。この媒体格納部内にある媒体を給紙して、その媒体に画像出力装置１６５が画像を出力する。
給紙別排紙設定参照モジュール１１５は、給紙別排紙設定指示モジュール１１０によって関連付けられた設定を参照する。例えば、出力制御モジュール１６０からの指示によって、給紙別排紙設定指示モジュール１１０によって関連付けられた設定を参照し、その設定を出力制御モジュール１６０に渡す。
【００２６】
関連付有効／無効指示モジュール１２０は、給紙別排紙設定指示モジュール１１０による関連付けが有効であるか否か（有効／無効）を設定する。
関連付有効／無効参照モジュール１２５は、関連付有効／無効指示モジュール１２０による有効であるか否かの設定を参照する。例えば、出力制御モジュール１６０からの指示によって、関連付有効／無効指示モジュール１２０による有効であるか否かの設定を参照し、その設定を出力制御モジュール１６０に渡す。
【００２７】
給紙優先順位指示モジュール１３０は、給紙別排紙設定指示モジュール１１０による関連付けの優先順位を設定する。
給紙優先順位参照モジュール１３５は、給紙優先順位指示モジュール１３０によって設定された優先順位を参照する。例えば、出力制御モジュール１６０からの指示によって、給紙優先順位指示モジュール１３０によって設定された優先順位を参照し、その優先順位を出力制御モジュール１６０に渡す。
【００２８】
印刷指示受信モジュール１４０は、他の情報処理装置（例えば、ＰＣ：Ｐｅｒｓｏｎａｌ  Ｃｏｍｐｕｔｅｒ）から画像の出力指示を受信する。具体的には、出力指示として、ＰＤＬ（Ｐａｇｅ  Ｄｅｓｃｒｉｐｔｉｏｎ  Ｌａｎｇｕａｇｅ）、ＪＣＬ（Ｊｏｂ  Ｃｏｎｔｒｏｌ  Ｌａｎｇｕａｇｅ）等が該当する。ＰＤＬには、主に出力する画像に関する情報が記述されており、ＪＣＬには、主に本画像処理装置で出力する場合の設定等が記述されている。なお、本画像処理装置で対象とする出力設定は、ＰＤＬ、ＪＣＬのいずれか一方、又は両方に含まれている。ＰＤＬ内にある出力設定としては、例えば、カラー画像であるか、白黒画像であるかを示す設定があり、ＪＣＬ内にある出力設定としては、例えば、媒体の片面／両面出力の設定、紙折りの設定、縮小／拡大の設定等がある。
印刷指示受信モジュール１４０が受信する出力指示として、例えば、出力する媒体のサイズが混在しているような出力指示がある。例えば、合計３ページの出力指示であり、１ページ目と２ページ目はＡ４の用紙サイズであるが、３ページ目はＡ３の用紙サイズ等がある。
【００２９】
ＰＤＬ等解釈モジュール１４５は、印刷指示受信モジュール１４０によって受信された画像の出力指示を解釈し、出力指示内の画像生成に関する部分を画像生成モジュール１５０に渡し、出力設定に関する部分を出力制御モジュール１６０に渡す。
画像生成モジュール１５０は、ＰＤＬ等解釈モジュール１４５から受け取った出力指示内の画像生成に関する部分（主にＰＤＬ部分）にしたがって画像を生成する。
色変換処理モジュール１５５は、画像生成モジュール１５０によって生成された画像の色変換処理を行う。例えば、画像出力装置１６５による出力特性に応じて、色変換処理を施してもよい。また、出力制御モジュール１６０からの指示に基づいて、カラー画像を白黒画像に変換することを行うようにしてもよい。
【００３０】
出力制御モジュール１６０は、印刷指示受信モジュール１４０によって受信された出力指示内の媒体の種類が給紙別排紙設定指示モジュール１１０によって関連付けされた媒体の種類と同等である場合は、その出力指示における出力設定よりも給紙別排紙設定指示モジュール１１０によって、その媒体に関連付けられた出力設定を優先させて、その媒体の出力を行うように制御する。出力制御モジュール１６０は、給紙別排紙設定参照モジュール１１５を用いて給紙別排紙設定指示モジュール１１０によって関連付けされた媒体の種類を参照する。
また、出力制御モジュール１６０は、関連付有効／無効指示モジュール１２０によって有効であると設定された関連付けの媒体の種類と印刷指示受信モジュール１４０によって受信された出力指示内の媒体の種類が同等である場合は、その出力指示における出力設定よりも給紙別排紙設定指示モジュール１１０によって、その媒体に関連付けられた出力設定を優先させて、その媒体の出力を行うように制御するようにしてもよい。出力制御モジュール１６０は、関連付有効／無効参照モジュール１２５を用いて関連付有効／無効指示モジュール１２０によって有効であると設定された関連付けを参照する。
また、出力制御モジュール１６０は、同等の媒体の種類における給紙別排紙設定指示モジュール１１０による関連付けが複数ある場合は、給紙優先順位指示モジュール１３０によって設定された優先順位に基づいて、出力指示における出力設定よりも給紙別排紙設定指示モジュール１１０によって、その媒体に関連付けられた出力設定を優先させて、その媒体の出力を行うように制御するようにしてもよい。出力制御モジュール１６０は、給紙優先順位参照モジュール１３５を用いて給紙優先順位指示モジュール１３０によって設定された優先順位を参照する。
【００３１】
出力制御モジュール１６０は、印刷指示受信モジュール１４０によって受信された出力指示内の媒体の種類が給紙別排紙設定指示モジュール１１０によって関連付けされた媒体格納部に格納された媒体の種類と同等である場合は、その出力指示における出力設定よりも給紙別排紙設定指示モジュール１１０によって、その媒体格納部に関連付けられた出力設定を優先させて、その媒体の出力を行うように制御する。出力制御モジュール１６０は、給紙別排紙設定参照モジュール１１５を用いて給紙別排紙設定指示モジュール１１０によって関連付けされた媒体の種類を参照する。
また、出力制御モジュール１６０は、関連付有効／無効指示モジュール１２０によって有効であると設定された関連付けの媒体格納部に格納された媒体の種類と印刷指示受信モジュール１４０によって受信された出力指示内の媒体の種類が同等である場合は、その出力指示における出力設定よりも給紙別排紙設定指示モジュール１１０によって、その媒体格納部に関連付けられた出力設定を優先させて、その媒体の出力を行うように制御するようにしてもよい。出力制御モジュール１６０は、関連付有効／無効参照モジュール１２５を用いて関連付有効／無効指示モジュール１２０によって有効であると設定された関連付けを参照する。
また、出力制御モジュール１６０は、同等の種類の媒体格納部における給紙別排紙設定指示モジュール１１０による関連付けが複数ある場合は、給紙優先順位指示モジュール１３０によって設定された優先順位に基づいて、出力指示における出力設定よりも給紙別排紙設定指示モジュール１１０によって、その媒体格納部に関連付けられた出力設定を優先させて、その媒体の出力を行うように制御するようにしてもよい。出力制御モジュール１６０は、給紙優先順位参照モジュール１３５を用いて給紙優先順位指示モジュール１３０によって設定された優先順位を参照する。
【００３２】
画像出力装置１６５は、媒体上に画像を出力する。画像を出力するものであれば、レーザープリンタ、インクジェットプリンタ等であってもよい。
フィニッシャ装置１７０は、画像出力装置１６５によって画像が出力された媒体の後処理を行うものである。後処理としては、例えば、紙折り、ステープラー処理等がある。紙折り装置に関しては、例えば、特開昭６０−２３２３７２号公報、特開昭６２−５９００２号公報等で開示されている折り装置と同等のものである。例えば、二つ折り、Ｚ折り等を設定できる。
【００３３】
＜用紙サイズ別にカラー／白黒出力を切り替える場合＞
用紙サイズ別にカラー／白黒出力を切り替える場合について説明をする。
例えば、Ａ４の用紙サイズの場合は文字主体で、Ａ３の用紙サイズの場合はカラーを使った図面からなるドキュメントにおいて、コスト削減を目的にＡ４の用紙には白黒出力（つまり出力指示がカラーであっても白黒出力とする）、Ａ３の用紙には出力指示に沿った出力（つまり出力指示がカラーであればカラー出力とする）をしたい場合について説明する。
図２は、設定画面２００の例を示す説明図である。設定画面２００は、本画像処理装置のタッチパネル等の表示装置に表示するものである。設定画面２００内には、用紙の種類（Ａ３普通紙白：指定領域２１２、Ａ４普通紙白：指定領域２１４、Ａ４厚紙白：指定領域２１６）毎に、出力設定としての「カラー／白黒出力」、「両面／片面出力」、「紙折りする／しない」が指定できるようにカラーモード設定領域２２０、両面／片面選択領域２３０、紙折り指定設定領域２４０がある。設定者は、Ａ４普通紙白：指定領域２１４のカラーモード設定領域２２０で、白黒設定２２４を指定する。つまり、これはＡ４の用紙サイズ、普通紙、白の用紙に出力する場合は、白黒出力を設定していることになる。したがって、ＰＤＬがカラー出力を指定している場合であっても、その用紙の種類に出力する場合は白黒出力となる。なお、白黒設定２２４の指定は、Ａ４普通紙白：指定領域２１４のカラーモード設定領域２２０で設定できるメニュー（白黒出力、カラー出力等のリスト）を表示し、その中から設定者の操作によって選択すればよい。
【００３４】
給紙別排紙設定指示モジュール１１０は、この設定によって、例えば、用紙種類・出力設定対応テーブル１３００を生成する。図１３は、用紙種類・出力設定対応テーブル１３００のデータ構造例を示す説明図である。用紙種類・出力設定対応テーブル１３００は、用紙種類欄１３１０、カラーモード設定欄１３２０、両面／片面設定欄１３３０、紙折り設定欄１３４０を有している。用紙種類欄１３１０は、用紙の種類（用紙選択領域２１０に相当し、Ａ３普通紙白：指定領域２１２、Ａ４普通紙白：指定領域２１４、Ａ４厚紙白：指定領域２１６に相当する情報）を記憶する。カラーモード設定欄１３２０は、その用紙の種類に対応して設定された白黒出力、カラー出力のいずれか又は設定がない場合は値なし（ＮＵＬＬ）を記憶する。両面／片面設定欄１３３０は、その用紙の種類に対応して設定された両面出力、片面出力のいずれか又は設定がない場合は値なし（ＮＵＬＬ）を記憶する。紙折り設定欄１３４０は、その用紙の種類に対応して設定された紙折りする、紙折りしないのいずれか又は設定がない場合は値なし（ＮＵＬＬ）を記憶する。紙折りについては、紙折りの種類（二つ折り、Ｚ折り等）を記憶していてもよい。
したがって、図２の例では、用紙種類欄１３１０の「Ａ４、普通紙、白」の行には、カラーモード設定欄１３２０に「白黒出力」を記憶することになる。
【００３５】
また、給紙別排紙設定指示モジュール１１０は、この設定によって、例えば、用紙種類・出力設定・有効／無効テーブル１４００を生成してもよい。図１４は、用紙種類・出力設定・有効／無効テーブル１４００のデータ構造例を示す説明図である。用紙種類・出力設定・有効／無効テーブル１４００は、用紙種類欄１３１０、カラーモード設定欄１３２０、両面／片面設定欄１３３０、紙折り設定欄１３４０、有効／無効欄１４５０を有している。なお、用紙種類・出力設定対応テーブル１３００と同種の部位には同一符号を付し重複した説明を省略する。有効／無効欄１４５０は、その用紙の種類に対応した設定が有効であるか否かを示す情報を記憶している。有効を示す情報である場合は、その行の設定にしたがって出力設定が行われる。有効ではないこと（無効）を示す情報である場合は、その行の設定ではなく、受信した出力指示にしたがった設定が行われる。なお、関連付有効／無効指示モジュール１２０が、有効／無効欄１４５０の内容を設定する。例えば、関連付有効／無効指示モジュール１２０が、本画像処理装置の表示装置に、各出力設定を有効にするか否かを設定できるように表示し、設定者の操作に応じて、有効／無効欄１４５０の内容を設定する。
図２の例では、用紙種類欄１３１０の「Ａ４、普通紙、白」の行には、カラーモード設定欄１３２０に「白黒出力」を記憶し、有効／無効欄１４５０に「有効」を記憶することになる。
【００３６】
ここで、受信したＰＤＬとして、例えば、Ａ４とＡ３からなる原稿はすべて色が付いたページから構成されている。具体的には、図３（ａ）の例に示すように、合計３ページのＰＤＬであり、１ページ目（Ａ４カラー原稿３１０）と２ページ目（Ａ４カラー原稿３２０）はＡ４の用紙サイズであり、３ページ目（Ａ３カラー原稿３３０）はＡ３の用紙サイズ、そして、すべてのページがカラーである。
ここで、文字主体のＡ４ページはコスト削減を目的に白黒で出力し、色が多用されている写真や図面から構成されているＡ３はカラーで出力したい場合、何も設定せずに出力すると、図３（ｂ）に例示するＡ４カラー出力３１２、Ａ４カラー出力３２２、Ａ３カラー出力３３２のように、すべてカラーになってしまう。期待通りの結果を得るには図３（ｃ）の例にあるように、特許文献１に記載されているような印刷範囲指定でページを限定し、１ページ目、２ページ目は白黒で出力（Ａ４白黒出力３１４、Ａ４白黒出力３２４）し、３ページ目はカラーで出力（Ａ３カラー出力３３４）し、最後に束ねる必要がある。
【００３７】
本画像処理装置では、図２の例における設定画面２００でトレイ２（Ａ４普通紙白：指定領域２１４）にセットされているＡ４普通紙に対して、カラーモードを「白黒」に設定している。トレイ１（Ａ３普通紙白：指定領域２１２）にセットされているＡ３サイズに関しては、カラーモードの設定は不要である。例えば、本画像処理装置の設置時にこの設定をすることで、図３（ｄ）の例にあるようにＡ４サイズは白黒（Ａ４白黒出力３１６、Ａ４白黒出力３２６）、Ａ３サイズはカラー（Ａ３カラー出力３３６）で構成される結果を得る。したがって、ユーザが出力指示をする際の特別な設定や分割印刷をする必要はない。
【００３８】
次に、図９、図１０に例示のフローチャートを用いて説明をする。
概要を説明すると、ＰＤＬの各ページの先頭にある出力色コマンドを解析し、白黒であればそのページは白黒で画像を生成する。カラー出力指示があった場合は、排紙設定が有効なトレイを検索し、用紙サイズコマンドと一致するどうかをチェックする。一致するトレイがなければ給紙補給を待ち、補給後に再度トレイを検索する。用紙サイズコマンドと一致したトレイが見つかった場合は、排紙設定のカラーモードにしたがい画像を生成する。１ページ分のＰＤＬ処理が終わったら次のページがあるかどうかを判断し、あれば次ページ出力色コマンドの解析から再度同じ判定をする。
【００３９】
図９は、本実施の形態による処理例を示すフローチャートである。
ステップＳ９０２では、ＰＤＬ等解釈モジュール１４５が、ＰＤＬの出力色コマンドは「白黒」であるか否かを判断し、「白黒」である場合はステップＳ９０８へ進み、それ以外の場合はステップＳ９０４へ進む。
ステップＳ９０４の処理については、図１０の説明にて後述する。
ステップＳ９０６では、給紙別排紙設定参照モジュール１１５が、Ｍ：「白黒」であるか否かを判断し、Ｍ：「白黒」である場合はステップＳ９０８へ進み、それ以外の場合はステップＳ９１０へ進む。なお、Ｍは、図１０に例示するフローチャート内のステップＳ１０１４で設定されるものである。
【００４０】
ステップＳ９０８では、出力制御モジュール１６０が、白黒で出力する。
ステップＳ９１０では、出力制御モジュール１６０が、カラーで出力する。
ステップＳ９１２では、次のページ（ＮｅｘｔＰａｇｅ）ありであるか否かを判断し、ありの場合はステップＳ９０２へ戻り、それ以外の場合は処理を終了する（ステップＳ９９９）。
【００４１】
図１０は、本実施の形態による処理例を示すフローチャートである。
ステップＳ１００２では、出力制御モジュール１６０が、変数ｔｒａｙに１をセットする。
ステップＳ１００４では、関連付有効／無効参照モジュール１２５が、排紙設定（ｔｒａｙ）が有効であるか否かを判断し、有効である場合はステップＳ１００６へ進み、それ以外の場合はステップＳ１００８へ進む。具体的には、用紙種類・出力設定対応テーブル１３００を用いる場合は、その行に設定があるか否か（設定がある場合は有効、設定がない場合は有効ではない）で判断し、用紙種類・出力設定・有効／無効テーブル１４００を用いる場合は、その行の有効／無効欄１４５０によって判断する。
【００４２】
ステップＳ１００６では、給紙別排紙設定参照モジュール１１５が、ＰＤＬ内の用紙種類コマンドが示す用紙種類と排紙設定（ｔｒａｙ）が示す用紙種類とで一致しているか否か（ＰＤＬ用紙種類コマンド＝排紙設定（ｔｒａｙ）であるか否か）を判断し、ＰＤＬ用紙種類コマンド＝排紙設定（ｔｒａｙ）である場合はステップＳ１０１４へ進み、それ以外の場合はステップＳ１００８へ進む。具体的には、用紙種類・出力設定対応テーブル１３００又は用紙種類・出力設定・有効／無効テーブル１４００を用いて、用紙種類欄１３１０内の用紙種類と一致するか否かで判断する。
【００４３】
ステップＳ１００８では、出力制御モジュール１６０が、ｔｒａｙ＝ｔｒａｙ＋１とする。
ステップＳ１０１０では、出力制御モジュール１６０が、ｔｒａｙは存在するか否かを判断し、存在する場合はステップＳ１００４へ戻り、それ以外の場合はステップＳ１０１２へ進む。
ステップＳ１０１２では、出力制御モジュール１６０が、給紙補給を待つ。
ステップＳ１０１４では、出力制御モジュール１６０が、Ｍ＝排紙設定（ｔｒａｙ）とする。具体的には、用紙種類・出力設定対応テーブル１３００又は用紙種類・出力設定・有効／無効テーブル１４００を用いて、その行のカラーモード設定欄１３２０内の設定となる。前述した図２の例では、用紙種類がＡ４サイズの場合は、Ｍ＝「白黒」となる。
なお、ステップＳ１０１４では、出力制御モジュール１６０が、「Ｍ＝出力指示（ＰＤＬ）における設定」としてもよい。前述した図２の例では、用紙種類がＡ３サイズの場合は、Ｍ＝「カラー」となる。
【００４４】
＜用紙サイズ別に両面／片面出力、紙折り指定を切り替える場合＞
用紙サイズ別に両面／片面出力、紙折り指定を切り替える場合について説明をする。
例えば、１ページ目と２ページ目はＡ４の用紙サイズ、３ページ目と４ページ目はＡ３の用紙サイズである原稿に対し、Ａ４の用紙サイズであるページはコスト削減を目的に両面で出力し、読みやすさと扱いやすさを優先させたいＡ３の用紙サイズであるページは片面でかつＺ折りで出力したい場合について説明する。両面指定で出力すると図５（ｂ）のようにすべて両面になってしまう。
図４は、設定画面２００の例を示す説明図である。図２に例示の設定画面２００と同等であるが、ここでは、設定者は、Ａ３普通紙白：指定領域２１２の両面／片面選択領域２３０で、片面設定２３２を指定し、Ａ３普通紙白：指定領域２１２の紙折り指定設定領域２４０で、Ｚ折り選択２４２を指定する。つまり、これはＡ３の用紙サイズ、普通紙、白の用紙に出力する場合は、片面出力でありＺ折りを設定していることになる。したがって、ＪＣＬが両面出力、紙折りなしを指定している場合であっても、その用紙の種類に出力する場合は両面出力、Ｚ折りとなる。
【００４５】
給紙別排紙設定指示モジュール１１０は、この設定によって、例えば、用紙種類・出力設定対応テーブル１３００を生成する。図４の例では、用紙種類欄１３１０の「Ａ３、普通紙、白」の行には、両面／片面設定欄１３３０に「片面出力」、紙折り設定欄１３４０に「Ｚ折り」を記憶することになる。
また、給紙別排紙設定指示モジュール１１０は、この設定によって、例えば、用紙種類・出力設定・有効／無効テーブル１４００を生成してもよい。図４の例では、用紙種類欄１３１０の「Ａ３、普通紙、白」の行には、両面／片面設定欄１３３０に「片面出力」、紙折り設定欄１３４０に「Ｚ折り」、有効／無効欄１４５０に「有効」を記憶することになる。
【００４６】
ここで、受信したＰＤＬとして、図５（ａ）の例に示すように、合計４ページのＰＤＬであり、１ページ目（Ａ４原稿５１０）と２ページ目（Ａ４原稿５２０）はＡ４の用紙サイズであり、３ページ目（Ａ３原稿５３０）、４ページ目（Ａ３原稿５４０）はＡ３の用紙サイズである。そして、受信したＪＣＬとして両面指定、紙折り指定（紙折りはＡ３の用紙サイズに対して有効）であると、図５（ｂ）の例のようにすべて両面になってしまう。つまり、１ページ目と２ページ目は１枚のＡ４サイズの用紙の表（Ａ４表出力５１２ａ）と裏（Ａ４裏出力５２２ｂ）になり、３ページ目と４ページ目は１枚のＡ３サイズの用紙（Ａ３表裏出力５３２）の表と裏になる。また、図５（ｃ）の例のように、特許文献１に記載されているような印刷範囲指定でページを限定し、１ページ目（Ａ４表出力５１４ａ）から２ページ目（Ａ４裏出力５２４ｂ）は両面で出力し、３ページ目（Ａ３表出力５３４）から４ページ目（Ａ３表出力５４４）は片面Ｚ折りで出力し、最後に束ねる必要がある。この例では、２つの束にすぎないが、数百ページの出力の中にＡ３ページが混在する場合、出力後の挿し込み作業（手作業）は、その混在している数だけ必要となる。
【００４７】
本画像処理装置では、図４の例における設定画面２００でトレイ１（Ａ３普通紙白：指定領域２１２）にセットされているＡ３普通紙に対して、両面／片面設定を「片面」に、紙折り指定を「Ｚ折り」に設定している。トレイ２（Ａ４普通紙白：指定領域２１４）にセットされているＡ４普通紙に関しては、設定はしていない。例えば、本画像処理装置の設置時にこの設定をすることで、出力を指示するユーザは、両面出力の指示だけで、図５（ｄ）の例にあるようにＡ４サイズは両面（Ａ４表出力５１６ａ、Ａ４裏出力５２６ｂ）、Ａ３サイズは片面Ｚ折り（Ａ３表出力５３６、Ａ３表出力５４６）で構成される結果を得る。したがって、ユーザが出力指示をする際の特別な設定や分割印刷をする必要はない。
【００４８】
次に、図１１、図１２、図１０に例示のフローチャートを用いて説明をする。
概要を説明すると、両面出力は２ページを貯める必要があるため、表（おもて）を表すフラグ「表面フラグ」を設け、出力指示の先頭で「無効」に設定する。出力指示の先頭にあるＪＣＬの制御コマンドを解析し、両面指定の有無を確認する。両面指定がある出力指示については、フローチャートの下に進む。排紙設定が有効なトレイを検索し、用紙サイズコマンドと一致するどうかをチェックする。一致するトレイがなければ給紙補給を待ち、補給後に再度トレイを検索する。用紙サイズコマンドと一致したトレイが見つかった場合は、排紙設定が「片面」であるかどうかを調べる。片面である場合は、さらに排紙設定にしたがって出力する。片面でない場合、表面フラグが有効であれば現在のページは裏面にあたるので画像を生成後に両面で出力する。フラグが無効であれば現在のページは表面であたるので、フラグを有効にセットするだけにする。１ページ分のＰＤＬ処理が終わったら次のページがあるかどうかを判断し、あれば用紙サイズコマンドの解析から再度同じ判定をする。次のページがない場合は、出力指示の最後で表面フラグを参照し、有効であった場合は表を片面で出力する。ＪＣＬの制御コマンドで両面指定がない出力指示については、図１１の右（ステップＳ１１５６以降）に進む。右のフローチャートは、出力指定では片面Ｚ折りが指定され、画像処理装置では図８の例に示すような指示設定になっている場合の処理である。つまり、図８の例に示す設定画面２００のように、Ａ４普通紙白：指定領域２１４の両面／片面選択領域２３０で、両面設定２３４が設定されている場合の処理である。
【００４９】
図１１は、本実施の形態による処理例を示すフローチャートである。
ステップＳ１１０２では、出力制御モジュール１６０が、表面フラグを無効とする。
ステップＳ１１０４では、ＰＤＬ等解釈モジュール１４５が、ジョブ制御コマンドは両面指定であるか否かを判断し、両面指定である場合はステップＳ１１０６へ進み、それ以外の場合はステップＳ１１５６へ進む。
ステップＳ１１０６の処理は、図１０の説明にて前述した通りである。
ステップＳ１１０８では、給紙別排紙設定参照モジュール１１５が、Ｍ：「片面」であるか否かを判断し、Ｍ：「片面」である場合はステップＳ１１１０へ進み、それ以外の場合はステップＳ１１１２へ進む。
【００５０】
ステップＳ１１１０の処理については、図１２の説明にて後述する。
ステップＳ１１１２では、出力制御モジュール１６０が、表面フラグは「有効」であるか否かを判断し、「有効」である場合はステップＳ１１１４へ進み、それ以外の場合はステップＳ１１１８へ進む。
ステップＳ１１１４では、出力制御モジュール１６０が、両面で出力する。
ステップＳ１１１６では、出力制御モジュール１６０が、表面フラグを無効とする。
ステップＳ１１１８では、出力制御モジュール１６０が、表面フラグを有効とする。
【００５１】
ステップＳ１１２０では、出力制御モジュール１６０が、ＮｅｘｔＰａｇｅありであるか否かを判断し、ありの場合はステップＳ１１０６へ戻り、それ以外の場合はステップＳ１１２２へ進む。
ステップＳ１１２２では、出力制御モジュール１６０が、表面フラグは「有効」であるか否かを判断し、「有効」である場合はステップＳ１１２４へ進み、それ以外の場合は処理を終了（ステップＳ１１９９）する。
ステップＳ１１２４の処理は、ステップＳ１１１０の処理と同様であり、図１２の説明にて後述する。
ステップＳ１１５６の処理は、ステップＳ１１０６の処理と同様であり、図１０の説明にて前述した通りである。
【００５２】
ステップＳ１１５８では、給紙別排紙設定参照モジュール１１５が、Ｍ：「両面」であるか否かを判断し、Ｍ：「両面」である場合はステップＳ１１６２へ進み、それ以外の場合はステップＳ１１６０へ進む。
ステップＳ１１６０では、出力制御モジュール１６０が、片面＋Ｚ折りで出力する。
ステップＳ１１６２では、出力制御モジュール１６０が、表面フラグは「有効」であるか否かを判断し、「有効」である場合はステップＳ１１６４へ進み、それ以外の場合はステップＳ１１６８へ進む。
ステップＳ１１６４では、出力制御モジュール１６０が、両面で出力する。
【００５３】
ステップＳ１１６６では、出力制御モジュール１６０が、表面フラグを無効とする。
ステップＳ１１６８では、出力制御モジュール１６０が、表面フラグを有効とする。
ステップＳ１１７０では、出力制御モジュール１６０が、ＮｅｘｔＰａｇｅありであるか否かを判断し、ありの場合はステップＳ１１５６へ戻り、それ以外の場合はステップＳ１１７２へ進む。
ステップＳ１１７２では、出力制御モジュール１６０が、表面フラグは「有効」であるか否かを判断し、「有効」である場合はステップＳ１１７４へ進み、それ以外の場合は処理を終了する（ステップＳ１１９８）。
ステップＳ１１７４の処理は、ステップＳ１１１０、ステップＳ１１２４の処理と同様であり、図１２の説明にて後述する。
【００５４】
図１２は、本実施の形態による処理例を示すフローチャートである。
ステップＳ１２０２では、給紙別排紙設定参照モジュール１１５が、Ｍ：「Ｚ折り」であるか否かを判断し、Ｍ：「Ｚ折り」である場合はステップＳ１２０６へ進み、それ以外の場合はステップＳ１２０４へ進む。
ステップＳ１２０４では、出力制御モジュール１６０が、片面で出力する。
ステップＳ１２０６では、出力制御モジュール１６０が、片面＋Ｚ折りで出力する。
【００５５】
＜用紙種類が一致するトレイが複数ある場合＞
次に、用紙種類が一致するトレイが複数ある場合の説明をする。
図６に例示する設定画面２００は、トレイ２（Ａ４普通紙白：指定領域２１４）とトレイ３（Ａ４普通紙白：指定領域６１６）に同じ「Ａ４、普通紙、白」がセットされていることを表している。そして、Ａ４普通紙白：指定領域２１４のカラーモード設定領域２２０に、白黒設定２２４が設定されている。
図７（ｂ）、（ｄ）に例示する優先ルール領域７４０のようにトレイ選択の優先ルールを指示する手段を設けて、そのルールにしたがったトレイを選択することで異なる出力を行う。例えば、優先ルールとして、「用紙補給メッセージを出す」、「排紙設定を優先する」、「ジョブ（出力指示）設定を優先する」のいずれかを選択できるように、給紙優先順位指示モジュール１３０が、本画像処理装置の表示装置に表示するものである。優先ルール領域７４０内には、「用紙補給メッセージを出す」ボタン７４２「排紙設定を優先する」ボタン７４４、「ジョブ設定を優先する」ボタン７４６があり、設定者は、いずれかを選択する。また、給紙優先順位指示モジュール１３０は、この設定によって、例えば、ルール・優先順位テーブル１５００を生成してもよい。図１５は、ルール・優先順位テーブル１５００のデータ構造例を示す説明図である。ルール・優先順位テーブル１５００は、優先順位欄１５１０、ルール欄１５２０を有している。ルール欄１５２０は、「用紙補給メッセージ」、「排紙設定（出力設定）」、「ジョブ設定（出力指示設定）」を記憶し、優先順位欄１５１０は、選択されたことを示す情報を記憶する。
【００５６】
また、優先順位として、ルール・優先順位テーブル１５００の他に、用紙種類毎の出力設定に優先順位を設定するようにしてもよい。例えば、給紙優先順位指示モジュール１３０は、用紙種類・出力設定・優先順位テーブル１６００を生成してもよい。図１６は、用紙種類・出力設定・優先順位テーブル１６００のデータ構造例を示す説明図である。用紙種類・出力設定・優先順位テーブル１６００は、用紙種類欄１３１０、カラーモード設定欄１３２０、両面／片面設定欄１３３０、紙折り設定欄１３４０、有効／無効欄１４５０、優先順位欄１６６０を有している。図１４に例示の用紙種類・出力設定・有効／無効テーブル１４００に優先順位欄１６６０を付加したものである。なお、用紙種類・出力設定・有効／無効テーブル１４００と同種の部位には同一符号を付し重複した説明を省略する。優先順位欄１６６０は、同じ用紙種類に対して出力設定が行われている場合に、適用される優先順位を記憶している。例えば、図６に例示の設定画面２００で、Ａ４普通紙白：指定領域６１６のカラーモード設定領域２２０に「カラー出力」が設定されている場合である。つまり、トレイ２（Ａ４普通紙白：指定領域２１４）では白黒出力、トレイ３（Ａ４普通紙白：指定領域６１６）ではカラー出力が出力設定として設定されている場合、いずれを優先するかを設定できることになる。
なお、用紙種類・出力設定・優先順位テーブル１６００から有効／無効欄１４５０を削除した形態であってもよい。つまり、用紙種類・出力設定・優先順位テーブル１６００は、用紙種類欄１３１０、カラーモード設定欄１３２０、両面／片面設定欄１３３０、紙折り設定欄１３４０、優先順位欄１６６０によって構成されていてもよい。
そして、前述で用紙種類・出力設定対応テーブル１３００、用紙種類・出力設定・有効／無効テーブル１４００を生成するとしたものを用紙種類・出力設定・優先順位テーブル１６００を生成するとしてもよい。
【００５７】
ここで、受信したＰＤＬとして、例えば、Ａ４とＡ３からなる原稿はすべて色が付いたページから構成されている。具体的には、図７（ａ）の例に示すように、合計３ページのＰＤＬであり、１ページ目（Ａ４カラー原稿７１０）と２ページ目（Ａ４カラー原稿７２０）はＡ４の用紙サイズであり、３ページ目（Ａ３カラー原稿７３０）はＡ３の用紙サイズ、そして、すべてのページがカラーである。
図６の例で、トレイ２（Ａ４普通紙白：指定領域２１４）に用紙が存在していない場合、「用紙補給メッセージを出す」が有効であれば、用紙がセットされるまで中断する。
図７（ｂ）に例示のように「排紙設定を優先する」が有効であれば、トレイ２に用紙が存在しなくなった場合、トレイ３（Ａ４普通紙白：指定領域６１６）の用紙が選択され、トレイ３からの出力に対しても、トレイ２（Ａ４普通紙白：指定領域２１４）の出力設定（Ａ４サイズ普通紙は「白黒出力」）が行われ、結果として図７（ｃ）に例示のＡ４白黒出力７１２、Ａ４白黒出力７２２、Ａ３カラー出力７３２のように出力されることになる。
図７（ｄ）に例示のように「ジョブ（出力指示）設定を優先する」が有効であれば、トレイ２に用紙が存在しなくなった場合、トレイ３（Ａ４普通紙白：指定領域６１６）の用紙が選択され、トレイ３からの出力に対しては、出力指示内の出力設定（１ページ目、２ページ目、３ページ目は「カラー出力」）が行われ、結果として図７（ｅ）に例示のＡ４カラー出力７１４、Ａ４カラー出力７２４、Ａ３カラー出力７３４のように出力されることになる。
【００５８】
なお、前述の実施の形態では、給紙別排紙設定指示モジュール１１０、関連付有効／無効指示モジュール１２０、給紙優先順位指示モジュール１３０によって行われる出力設定の指示、有効／無効の設定、優先順位の設定は、画像処理装置のタッチパネル等の表示装置で行われるようにしたが、出力指示を行う情報処理装置が設定するようにしてもよい。例えば、その情報処理装置内のプリンタドライバが設定するようにしてもよい。また、前述の実施の形態では、他の情報処理装置からの出力指示を受けて行う処理を主に説明したが、複写（コピー）処理であっても同等の処理を適用してもよい。例えば、印刷指示受信モジュール１４０が、複写する対象の原稿の種類（原稿のサイズ、カラー／白黒、片面／両面等）を読み取り、それを画像の出力指示とすればよい。
【００５９】
図１７を参照して、本実施の形態の画像処理装置のハードウェア構成例について説明する。図１７に示す構成は、例えばパーソナルコンピュータ（ＰＣ）などによって構成されるものであり、スキャナ等のデータ読み取り部１７１７と、プリンタなどのデータ出力部１７１８を備えたハードウェア構成例を示している。
【００６０】
ＣＰＵ（Ｃｅｎｔｒａｌ  Ｐｒｏｃｅｓｓｉｎｇ  Ｕｎｉｔ）１７０１は、前述の実施の形態において説明した各種のモジュール、すなわち、給紙別排紙設定指示モジュール１１０、給紙別排紙設定参照モジュール１１５、関連付有効／無効指示モジュール１２０、関連付有効／無効参照モジュール１２５、給紙優先順位指示モジュール１３０、給紙優先順位参照モジュール１３５、印刷指示受信モジュール１４０、ＰＤＬ等解釈モジュール１４５、画像生成モジュール１５０、色変換処理モジュール１５５、出力制御モジュール１６０等の各モジュールの実行シーケンスを記述したコンピュータ・プログラムにしたがった処理を実行する制御部である。
【００６１】
ＲＯＭ（Ｒｅａｄ  Ｏｎｌｙ  Ｍｅｍｏｒｙ）１７０２は、ＣＰＵ１７０１が使用するプログラムや演算パラメータ等を格納する。ＲＡＭ（Ｒａｎｄｏｍ  Ａｃｃｅｓｓ  Ｍｅｍｏｒｙ）１７０３は、ＣＰＵ１７０１の実行において使用するプログラムや、その実行において適宜変化するパラメータ等を格納する。これらはＣＰＵバスなどから構成されるホストバス１７０４により相互に接続されている。
【００６２】
ホストバス１７０４は、ブリッジ１７０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１７０６に接続されている。
【００６３】
キーボード１７０８、マウス等のポインティングデバイス１７０９は、操作者により操作される入力デバイスである。ディスプレイ１７１０は、液晶表示装置又はＣＲＴ（Ｃａｔｈｏｄｅ  Ｒａｙ  Ｔｕｂｅ）などがあり、各種情報をテキストやイメージ情報として表示する。
【００６４】
ＨＤＤ（Ｈａｒｄ  Ｄｉｓｋ  Ｄｒｉｖｅ）１７１１は、ハードディスクを内蔵し、ハードディスクを駆動し、ＣＰＵ１７０１によって実行するプログラムや情報を記録又は再生させる。ハードディスクには、受信した画像データなどが格納される。さらに、その他の各種のデータ処理プログラム等、各種コンピュータ・プログラムが格納される。
【００６５】
ドライブ１７１２は、装着されている磁気ディスク、光ディスク、光磁気ディスク、又は半導体メモリ等のリムーバブル記録媒体１７１３に記録されているデータ又はプログラムを読み出して、そのデータ又はプログラムを、インタフェース１７０７、外部バス１７０６、ブリッジ１７０５、及びホストバス１７０４を介して接続されているＲＡＭ１７０３に供給する。リムーバブル記録媒体１７１３も、ハードディスクと同様のデータ記録領域として利用可能である。
【００６６】
接続ポート１７１４は、外部接続機器１７１５を接続するポートであり、ＵＳＢ、ＩＥＥＥ１３９４等の接続部を持つ。接続ポート１７１４は、インタフェース１７０７、及び外部バス１７０６、ブリッジ１７０５、ホストバス１７０４等を介してＣＰＵ１７０１等に接続されている。通信部１７１６は、通信回線に接続され、外部とのデータ通信処理を実行する。データ読み取り部１７１７は、例えばスキャナであり、ドキュメントの読み取り処理を実行する。データ出力部１７１８は、例えばプリンタであり、ドキュメントデータの出力処理を実行する。
【００６７】
なお、図１７に示す画像処理装置のハードウェア構成は、１つの構成例を示すものであり、本実施の形態は、図１７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１７に示すシステムが複数互いに通信回線によって接続されていて互いに協調動作するようにしてもよい。
【００６８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００６９】
１１０…給紙別排紙設定指示モジュール
１１５…給紙別排紙設定参照モジュール
１２０…関連付有効／無効指示モジュール
１２５…関連付有効／無効参照モジュール
１３０…給紙優先順位指示モジュール
１３５…給紙優先順位参照モジュール
１４０…印刷指示受信モジュール
１４５…ＰＤＬ等解釈モジュール
１５０…画像生成モジュール
１５５…色変換処理モジュール
１６０…出力制御モジュール
１６５…画像出力装置
１７０…フィニッシャ装置
【図１】
2013172233.tif 000003
【図２】
2013172233.tif 000004
【図３】
2013172233.tif 000005
【図４】
2013172233.tif 000006
【図５】
2013172233.tif 000007
【図６】
2013172233.tif 000008
【図７】
2013172233.tif 000009
【図８】
2013172233.tif 000010
【図９】
2013172233.tif 000011
【図１０】
2013172233.tif 000012
【図１１】
2013172233.tif 000013
【図１２】
2013172233.tif 000014
【図１３】
2013172233.tif 000015
【図１４】
2013172233.tif 000016
【図１５】
2013172233.tif 000017
【図１６】
2013172233.tif 000018
【図１７】
2013172233.tif 000019